(57)【特許請求の範囲】
【請求項１】
比吸収率(SAR)遵守基準を満たすための装置であって、
第1の静電容量センサから第1の静電容量測定結果を受け取り、
第2の静電容量センサから第2の静電容量測定結果を受け取り、
前記第1の静電容量測定結果および前記第2の静電容量測定結果に基づいてワイヤレスデバイスに対する人間の身体の相対的近接性を判定し、
前記判定された相対的近接性に基づいて、無線周波数(RF)トランシーバの出力電力限度を第1の出力電力限度から第2の出力電力限度に調整する
ように構成されたプロセッサ
を備え、前記ワイヤレスデバイスに対する前記人間の身体の前記相対的近接性を判定することは、前記第1の静電容量測定結果および前記第2の静電容量測定結果に基づいて、複数の近接領域のなかから適切な近接領域を識別することを含み、前記複数の近接領域のそれぞれは、異なる出力電力限度に関連付けられる装置。
【請求項２】
前記判定された相対的近接性は、前記人間の身体と前記ワイヤレスデバイスの面との間の離隔距離に対応する請求項1に記載の装置。
【請求項３】
前記近接領域のそれぞれは、前記ワイヤレスデバイスの異なる面に対応し、前記適切な近接領域は、前記人間の身体が最も近い前記ワイヤレスデバイスの第1の面に対応する請求項1に記載の装置。
【請求項４】
前記判定された相対的近接性は、前記人間の身体と前記ワイヤレスデバイスの外面との間の第1の離隔距離に対応する請求項1に記載の装置。
【請求項５】
前記第1の離隔距離は、前記人間の身体と前記ワイヤレスデバイスとの間の最悪事態の離隔距離を超える請求項4に記載の装置。
【請求項６】
前記第2の出力電力限度は、前記人間の身体と前記RF放射源との間の前記最悪事態の離隔距離に関連付けられた最小出力電力限度を超え、
前記第2の出力電力限度は、前記最悪事態の離隔距離に位置する人間に関して比吸収率(SAR)遵守基準を満たさない請求項5に記載の装置。
【請求項７】
ワイヤレスデバイスであって、
アンテナに最大出力電力限度まで電力供給する無線周波数(RF)トランシーバと、
第1の静電容量値を測定するように構成された第1の静電容量センサと、
第2の静電容量値を測定するように構成された第2の静電容量センサと、
人間の身体が前記ワイヤレスデバイスに近接して位置していると判定し、
前記第1の静電容量値および前記第2の静電容量値に基づいて、前記人間の身体がその範囲内に位置している複数の近接領域のうちの第1の近接領域を識別し、前記複数の近接領域のそれぞれは、異なる出力電力限度に関連付けられ、
前記RFトランシーバの出力電力限度を、前記第1の近接領域内に位置する人間に関して比吸収率(SAR)遵守基準を満たさない前記最大出力電力限度から中間出力電力限度に調整し、前記中間出力電力限度は、前記第1の近接領域に関してSAR遵守基準を満たす
ように構成されたプロセッサと
を備えるワイヤレスデバイス。
【請求項８】
前記中間出力電力限度は、最悪事態の近接領域に関するSAR遵守基準は満たさない請求項7に記載のワイヤレスデバイス。
【請求項９】
前記第1の近接領域に関連付けられた第1の面と、前記複数の近接領域のうちの第2の近接領域に関連付けられた第2の面とをさらに備える請求項7に記載のワイヤレスデバイス。
【請求項１０】
前記第1の静電容量センサは、第2の静電容量を測定した後に第3の静電容量を測定するようにさらに構成され、
前記第2の静電容量センサは、前記第2の静電容量を測定した後に第4の静電容量を測定するように構成され、
前記プロセッサは、
静電容量値を定期的に読み取って、その結果、前記第3の静電容量および前記第4の静電容量を見出し、
前記第3の静電容量および前記第4の静電容量に基づいて、前記人間の身体が前記第2の近接領域内に移っていると判定する
ようにさらに構成される
請求項9に記載のワイヤレスデバイス。
【請求項１１】
前記第1の静電容量センサは、第2の静電容量を測定した後に第3の静電容量を測定するようにさらに構成され、
前記第2の静電容量センサは、前記第2の静電容量を測定した後に第4の静電容量を測定するように構成され、
前記プロセッサは、
静電容量感知モジュールから近接性の変化を示す割込みを受け取り、
前記割込みを受け取ったことに応答して、前記第3の静電容量および前記第4の静電容量を読み取り、
前記第3の静電容量および前記第4の静電容量に基づいて、前記人間の身体が前記第2の近接領域内に移っていると判定する
ようにさらに構成される
請求項9に記載のワイヤレスデバイス。
【請求項１２】
前記プロセッサは、前記トランシーバの出力電力限度を前記中間出力電力限度から、前記第2の近接領域に関連付けられた最小出力電力限度に低減するようにさらに構成され、前記第2の近接領域は、最悪事態の近接領域である請求項11に記載のワイヤレスデバイス。
【請求項１３】
前記プロセッサは、
割込みを受け取り、
アンテナステータスを検出し、
前記アンテナがRF信号を能動的に送信していると判定するようにさらに構成される請求項7に記載のワイヤレスデバイス。
【請求項１４】
比吸収率(SAR)遵守基準を満たすようにワイヤレスデバイスを構成するための方法であって、
前記ワイヤレスデバイスの第1の面とファントムまたは人間の身体との間の最小離隔距離に対応する第1の静電容量センサの第1の静電容量値(CX1)および第2の静電容量センサの第1の静電容量値(CY1)を決定するステップと、
前記ワイヤレスデバイスの前記第1の面と前記ファントムまたは前記人間の身体との間の指定された離隔距離に関して前記SAR遵守基準を満たす可能な最高の無線周波数(RF)トランシーバ出力電力を決定するステップと、
最大電力低減なしに、前記ワイヤレスデバイスの前記第1の面と前記ファントムまたは前記人間の身体との間の上限しきい値離隔距離を決定するステップと、
前記上限しきい値離隔距離に対応する前記第1の静電容量センサの第2の静電容量値(CX2)および前記第2の静電容量センサの第2の静電容量値(CY2)を決定するステップと、
前記CX1、前記CX2、前記CY1、および前記CY2に部分的に基づいて近接領域を規定するように前記ワイヤレスデバイスを構成するステップと
を含む方法。
【請求項１５】
前記CX1および前記CY1を決定するステップは、
前記ワイヤレスデバイスの前記第1の面を前記ファントムまたは前記人間の身体に合理的に可能な限り近くに位置付けて、前記最小離隔距離を実現するステップと、
その後、前記CX1および前記CY1を測定するステップと
を含む請求項14に記載の方法。
【請求項１６】
前記可能な最高のRFトランシーバ出力電力を決定するステップは、
前記ワイヤレスデバイスの前記第1の面を、前記ファントムまたは前記人間の身体から前記指定された離隔距離に位置付け直すステップと、
ベースラインSAR測定(S0)を行い、前記S0が最大SARレベルを超えるかどうかを判定するステップと、
前記S0が前記最大SARレベルを超える場合、前記S0が前記最大SARレベルを超えなくなるまで、前記RFトランシーバの出力電力を繰り返し低減し、前記S0を再測定するステップとを含む請求項15に記載の方法。
【請求項１７】
前記CX2および前記CY2を決定するステップは、
前記RFトランシーバの出力電力を最大出力電力限度まで増加させるステップであって、前記最大出力電力限度は、前記ワイヤレスデバイスに近接して位置する人間の身体が存在しない場合の通常の動作条件中に前記RFトランシーバが動作するように構成される目的の電力限度である、ステップと、
前記ワイヤレスデバイスの前記第1の面を、前記ファントムまたは前記人間の身体からインクリメントされた離隔距離に位置付け直すステップと、
前記インクリメントされた離隔距離で後続のSAR測定(S1)を行うステップと、
前記S1が前記最大SARレベルを超えるかどうかを判定するステップと、
前記S1が前記最大SARレベルを超える場合、前記S1が前記最大SARレベルを超えなくなるまで、前記インクリメントされた離隔距離を繰り返し増大させ、前記S1を再測定するステップと、
その後、前記CX2および前記CY2を測定するステップと
を含む請求項16に記載の方法。
【請求項１８】
前記近接領域を規定するように前記ワイヤレスデバイスを構成するステップは、
前記CX1、前記CX2、前記CY1、および前記CY2を前記ワイヤレスデバイスの静的メモリの中に格納するステップと、
前記第1の静電容量センサの第1の静電容量読取り値(Cx)が前記CX1と前記CX2の間にあり、かつ
前記第2の静電容量センサの第2の静電容量読取り値(Cy)が前記CY1と前記CY2の間にある場合、
人間の身体が前記近接領域内にあると判定するように、前記ワイヤレスデバイスのプロセッサを構成するステップと
を含む請求項15に記載の方法。
【請求項１９】
前記近接領域が静電容量平面上の第2の領域と重なり合うと判定するステップと、
前記近接領域と前記第2の領域との間の前記重なり合いが小さくなるように前記第1の静電容量センサおよび前記第2の静電容量センサを位置付け直すステップと
をさらに含む請求項14に記載の方法。
【発明の詳細な説明】
【技術分野】
【０００１】
関連出願の相互参照
本出願は、参照によりその全体が再現されているかのようにともに本明細書に組み込まれている、Ping Shi他によって2011年12月31日に出願された、「Adaptive Maximum Power Limiting Using Capacitive Sensing in a Wireless Device」という名称の米国非仮特許出願第13/333,325号、およびPing Shi他によって2011年2月17日に出願された、「Adaptive Maximum Power Limiting Using Capacitive Sensing」という名称の米国仮特許出願第61/443,974号の優先権を主張するものである。
【０００２】
連邦政府による資金提供を受けた研究開発に関する記載
適用なし
【０００３】
マイクロフィッシュ付属書の参照
適用なし
【背景技術】
【０００４】
ワイヤレス通信の進歩は、人々が情報を通信し、情報にアクセスする方法に大きな変革をもたらしており、さらに時とともに値頃感および入手しやすさが増している大量のワイヤレス対応の一般消費者向けデバイスを生んでいる。一般に、ワイヤレス対応の一般消費者向けデバイスは、デバイスの内部に配置されることも、外部に配置されることも可能なトランシーバを介して無線周波数(RF)通信信号を交換することによって、他のワイヤレス対応のデバイスと通信することが可能である。多くの事例において、トランシーバ出力電力は、ワイヤレスパフォーマンスに直接に影響を及ぼし、より高いトランシーバ出力電力限度は、ワイヤレスデバイスが、より大きいスループット、および/またはより広範なワイヤレスカバレッジ(例えば、向上したカバレッジエリア)を実現することを可能にする。
【０００５】
しかし、RF送信は、高い暴露/吸収しきい値で人に有害であり得るRF放射、例えば、約3キロヘルツ(kHz)から約300ギガヘルツ(GHz)までの周波数範囲内の電磁放射をもたらし得る。それゆえ、連邦通信委員会(FCC)が、RF放射への一般の人々の暴露を制限するように様々なワイヤレスデバイスのRF放射出力を規制している。FCCの規制基準および/または遵守基準の一部は、参照により全体が再現されているかのようにともに本明細書に組み込まれている、「Standard for Safety Levels with Respect to Human Exposure to Radio Frequency Electromagnetic Fields, 3khz to 300GHz」という名称の米国電気電子学会(Institute of Electrical and Electronics Engineers)(IEEE)/米国国家規格協会(American National Standards Institute)(ANSI)刊行物C95.1、1992年、および「Recommended Practice for Measurement of Potentially Hazardous Electromagnetic Fields - RF and Microwave」という名称のIEEE/ANSI C95.3、2002年に概略が述べられている。特に、FCC規制は、様々な要因に基づいて様々なRFデバイスに関する最大限の比吸収率(Specific Absorption Rates)(SAR)を指定する。SARは、吸収する身体の、ある箇所における単位質量当りのRFエネルギー吸収のレートと定義され、さらに以下の式、すなわち、
【０００６】
【数１】
0005787381.tif 000002
【０００７】
によって計算され得、ただし、σは、1メートル当りのジーメンス数(S/m)を単位とする組織をシミュレートする物質の導電率であり、Eは、1メートル当たりボルト数(V/m)を単位とする総二乗平均平方根(RMS)電界強度であり、さらにρは、1立方メートル当りキログラム数(kg/m3)を単位とする組織をシミュレートする物質の質量密度である。これらの規制を遵守するのに、一部のワイヤレス端末デバイス、例えば、ユニバーサルシリアルバス(USB)データカード、ワイヤレスのルータ、タブレット、電子リーダ(eリーダ)、電話機などは、SAR遵守評価のために認定された試験研究所に提出されなければならない。
【０００８】
RF放射レベルは、トランシーバ出力電力と離隔距離(すなわち、人間の身体とRF放射源を離隔する距離)の両方、ならびに他の要因(例えば、遮蔽、アンテナ設計など)と関係し得る。特に、人間の身体によって吸収されるRF放射の量は、トランシーバ出力電力が増加した場合、および離隔距離が小さくなった場合、増加し得る。それゆえ、SAR遵守基準を満たすための1つの戦略は、離隔距離の縮小を相殺するようにトランシーバ出力電力を(例えば、人間の身体がRF放射源に近づくにつれて出力電力を低下させて)低減することであり得る。例えば、一部のワイヤレスデバイス(例えば、セル電話機)は、タッチスクリーンセンサを用いて人間の身体の存在を検出することが可能である。しかし、タッチスクリーンセンサは、直接の人間の身体の接触を要する可能性があり、したがって、近接検出(すなわち、RF放射源に対する人間の身体の距離を概算すること)ができない可能性があるとともに、ワイヤレスデバイスに不向きであり得る。代替として、光近接検出または赤外線近接検出により、電磁放射を使用して(例えば、物体からはね返るRF波または光ビームによって)物体の存在を検出することができる(さらに離隔距離を概算することができる)。しかし、光/赤外線近接検出は、人間の身体と無生物の物体(例えば、本、テーブルなど)を区別することができない可能性があり、さらに、それゆえ、偽陽性を頻繁に検出することによって(すなわち、SAR遵守基準を満たすのにトランシーバ出力電力を低減する必要がない場合に、そうすることによって)ワイヤレスパフォーマンスを低下させ得る。例えば、光/赤外線近接検出は、無生物の物体(例えば、テーブル)を検出すると、トランシーバ出力電力の低減をトリガし得る。このため、SAR遵守基準を満たしながら、ワイヤレスパフォーマンスをよりうまく最適化する、人間の身体の存在および近接性を正確に検出するための改良された方法が所望される。
【発明の概要】
【課題を解決するための手段】
【０００９】
本明細書で開示されるのは、第1の静電容量センサから第1の静電容量測定結果を受け取り、第2の静電容量センサから第2の静電容量測定結果を受け取り、第1の静電容量測定結果および第2の静電容量測定結果に基づいてワイヤレスデバイスに対する人間の身体の相対的近接性を判定し、さらにこの判定された相対的近接性に基づいて、RFトランシーバの出力電力限度を第1の出力電力限度から第2の出力電力限度に調整するように構成されたプロセッサを備える、SAR遵守基準を満たすための装置である。
【００１０】
本明細書でやはり開示されるのは、アンテナに最大出力電力限度まで電力を供給するRFトランシーバと、第1の静電容量値を測定するように構成された第1の静電容量センサと、第2の静電容量値を測定するように構成された第2の静電容量センサと、人間の身体がワイヤレスデバイスに近接して位置していると判定し、第1の静電容量値および第2の静電容量値に基づいて、人間の身体が範囲内に位置している複数の近接領域のうちの第1の近接領域を識別し、さらにRFトランシーバの出力電力限度を最大出力電力限度から中間出力電力限度に調整するように構成され、最大出力電力限度は、第1の近接領域内に位置する人間に関してSAR遵守基準を満たさないプロセッサとを備えるワイヤレスデバイスである。
【００１１】
本明細書でやはり開示されるのが、SAR遵守基準を満たすようにワイヤレスデバイスを構成するための方法であり、この方法は、ワイヤレスデバイスの第1の面とファントムもしくは人間の身体との間の最小離隔距離に対応する第1の静電容量センサの第1の静電容量値(CX1)および第2の静電容量センサの第1の静電容量値(CY1)を決定すること、ワイヤレスデバイスの第1の面とファントムまたは人間の身体との間の指定された離隔距離に関してSAR遵守基準を満たす可能な最高のRFトランシーバ出力電力を決定すること、ワイヤレスデバイスの第1の面とファントムまたは人間の身体との間の上限しきい値離隔距離を決定すること、この上限しきい値離隔距離に対応する第1の静電容量センサの第2の静電容量値(CX2)および第2の静電容量センサの第2の静電容量値(CY2)を決定すること、ならびにCX1、CX2、CY1、およびCY2に部分的に基づいて近接領域を規定するようにワイヤレスデバイスを構成することを備える。
【００１２】
これら、およびその他の特徴は、添付の図面および特許請求の範囲と併せて解釈される以下の詳細な説明から、より明確に理解されよう。
【００１３】
本開示をより完全に理解するために、次に、添付の図面および詳細な説明に関連して解釈される、以下の簡単な説明を参照し、ここでは、同様の参照符号が同様の部分を表す。
【図面の簡単な説明】
【００１４】
【図１】近接検出を実行するように構成されたワイヤレスデバイスの実施形態を示す概略図である。
【図２】アンテナ検出を実施するための実施形態を示す回路図である。
【図３】静電容量感知モジュールの実施形態を示す概略図である。
【図４】近接情報を感知し通信するための静電容量感知インターフェースの実施形態を示す回路図である。
【図５】静電容量センサの実施形態を示す概略図である。
【図６】複数の静電容量センサを備えるプリント回路基板の実施形態を示す概略図である。
【図７】近接検出を実行するように構成されたワイヤレスデバイスの別の実施形態を示す透視図である。
【図８】人間の身体の近くにあるワイヤレスデバイスを示す図である。
【図９】近接領域を分類するための静電容量平面の別の実施形態を示す透視図である。
【図１０】近接領域を分類するための静電容量平面の別の実施形態を示す図である。
【図１１】近接領域を分類するための静電容量平面の別の実施形態を示す図である。
【図１２】ワイヤレスデバイスの面に関連付けるべき適切な出力電力限度を決定するための方法の実施形態を示す流れ図である。
【図１３】SAR遵守基準を満たすようにトランシーバ電力を調整するための方法の実施形態を示す流れ図である。
【図１４】SAR遵守基準を満たすようにトランシーバ電力を調整するための方法の別の実施形態を示す流れ図である
【図１５】ワイヤレスデバイスにおいて近接検出を提供するためのシステムの別の実施形態を示す概略図である。
【図１６】ネットワークを介してデータをトランスポートするためのネットワークユニットの実施形態を示す概略図である。
【図１７】汎用ネットワーク構成要素の実施形態を示す概略図である。
【発明を実施するための形態】
【００１５】
1つまたは複数の実施形態の例示的な実装形態が以下に与えられるが、開示されるシステムおよび/または方法は、現在知られているか、または既存であるかにかかわらず、任意の数の技術を使用して実施され得ることを最初に理解されたい。本開示は、本明細書で図示され説明される例示的な設計および実装形態を含む、以下に示される例示的な実装形態、図面、および技術に全く限定されるべきではなく、添付の特許請求の範囲内、および等価物の全範囲内で変形され得る。
【００１６】
本明細書で開示されるのは、ワイヤレスデバイスに対する人間の身体の相対的近接性を判定するための装置および方法である。特に、この装置は、戦略的に配置された少なくとも2つの静電容量センサから導き出された静電容量情報に基づいて、人間の身体が近接領域に入ると、そのことを識別し、その後、トランシーバ出力電力限度を、その近接領域に関してSAR遵守基準を満たすのに必要なレベルにだけ低減するように構成され得る。例えば、この方法は、人間の身体が、特定の近接領域(例えば、領域1、領域2など)内に位置していると判定すること、およびトランシーバ出力電力限度を、その近接領域内に入る実質的にすべての、またはほとんどの離隔距離に関してSAR遵守基準を満たすレベルに調整することが可能である。ワイヤレスデバイスは、電力制御され、事前設定された最大電力限度で送信しないことが可能である。このため、本開示の態様は、ワイヤレスデバイスが、SAR遵守基準を満たしながら、ワイヤレスパフォーマンスを最適化する/向上させることを可能にし得る。
【００１７】
容量性感知は、人間の身体の存在を確実に検出するための1つの方法とすることができ、ワイヤレスデバイスのRF放射源上に、またはRF放射源近くに静電容量センサを位置付けることによって使用され得る。静電容量センサは、感知キャパシタの電極の周囲の静電界の変化を監視して、RF放射源の近くの人間の身体の存在および/または近接性を検出することが可能である。特に、静電容量センサは、その誘電特性に基づいて様々な物体を区別することができ、このことは、静電容量センサが、人間の身体の固有の誘電定数(εr)に基づいて無生物の物体(例えば、本、テーブルなど)から人間の組織を区別することを可能にすることができる。単一の静電容量センサを展開するワイヤレスデバイスは、感知キャパシタから所与の近さの範囲内の人間の身体の存在(または不在)を正確に検出することが可能であり、したがって、ワイヤレスデバイスに対する近接情報を正確に検出することが可能であるが、その人間の身体と感知キャパシタを埋め込んだデバイスとの間の離隔距離を正確に概算できない可能性があり、例えば、20ミリメートル(mm)の離隔距離を有する人間の身体と10mmの離隔距離を有する人間の身体とを区別できない可能性がある。さらに、単一の静電容量センサを展開するワイヤレスデバイスは、人間の身体がワイヤレスデバイスの特定の面の近くにあると判定することができない可能性があるとともに、アンテナを備える面に近接して位置する人間の身体とアンテナから離れた面に近接して位置する人間の身体とを区別することができない可能性がある。このため、単一の静電容量センサを展開するワイヤレスデバイスは、ワイヤレスデバイスに近接して位置している人間の身体が存在しない場合に最大出力電力限度で動作する可能性があり、または人間の身体がワイヤレスデバイスに近接して位置している場合に最悪事態の出力電力限度で動作する可能性がある。例えば、有効RF暴露がFCCが設定したSAR暴露レベルである1キログラム当たり1.6ワット(W/kg)を決して超えないようにセル電話機は、そのトランシーバ出力電力を動的に調整する可能性がある。単一の静電容量センサを用いるセル電話機は、人間の身体の存在を検出すると、トランシーバ出力電力限度を最小レベル(例えば、約5mm以下の最悪事態の離隔距離を満足させるレベル)に低減することによって、これを達成する可能性がある。このため、中間出力電力限度がSAR遵守基準を満たす状況において(例えば、人間の身体が、アンテナを備えない面に位置している場合に)、ワイヤレスパフォーマンスが、悪化す
る可能性がある。
【００１８】
図1は、RF放射源に対する人間の身体の存在および近接性を検出するように構成されたワイヤレスデバイス100の実施形態の概略図を示す。ワイヤレスデバイス100は、ワイヤレスで通信するように構成された任意のデバイスであり得るとともに、図1に示されるように構成された、アンテナ110と、RFトランシーバ120と、ベースバンドプロセッサ130と、アンテナ検出モジュール140と、静電容量感知モジュール150とを備え得る。アンテナ110は、電気信号をRF信号に変換する(その逆も同様)、任意のデバイスまたは回路であり得る。RFトランシーバ120は、アンテナ110と連携して、RF信号をもたらし、さらに/またはワイヤレス接続を確立するように機能する任意のデバイスまたは回路であり得る。例えば、RFトランシーバ120が、アンテナ110の端子にRF交流回路(AC)信号を供給し、その結果、アンテナ110がRF信号を送信するようにさせ得る。ワイヤレスパフォーマンスは、RF信号のスループット容量および/またはカバレッジ範囲に対応する場合があり、さらにRFトランシーバ120の出力電力に少なくともある程度、依存し得る。
【００１９】
ベースバンドプロセッサ130は、近接情報に基づいてRFトランシーバ120の出力電力を制御する、または変化させるように構成された任意のデバイスであり得る。例えば、ベースバンドプロセッサ130は、RFトランシーバ120の出力電力を、判定された近接性に関してSAR遵守基準を満たすレベルに調整するように構成され得る。ベースバンドプロセッサは、ポート131と、第1の汎用入出力ポート(GPIO_N1)132と、第2の汎用入出力ポート(GPIO_N2)134と、第3の汎用入出力ポート(GPIO_N3)136と、データバスポート138とを備え得る。第1のポート131は、RFトランシーバ120を制御する、またはRFトランシーバ120と対話するのに使用される任意のポートであり得る。GPIO_N1 132、GPIO_N2 134、およびGPIO_N3 136は、割込み信号を受け取るように構成された任意のポートであり得る。データバス138は、静電容量感知モジュール160と通信するように構成された任意のポート(またはポートのペア)であり得る。例えば、データバス138は、I2Cバス、SPIバス、またはシリアルもしくはパラレルの他の任意のデータ通信バスであり得る。ある実施形態において、第1のポート131は、RFトランシーバ120に接続可能であり、GPIO_N1 132は、アンテナ検出モジュール140に結合可能であり、さらにGPIO_N2 134、GPIO_N3 136、およびI2Cバス138のそれぞれは、静電容量感知モジュール150に結合可能である。アンテナ検出モジュール140は、アンテナ110がRF放射を放出している(例えば、RF信号を送信している)際、そのことを判定し、放出している場合、GPIO_N1 132を介してベースバンドプロセッサ130に割込みを通信するように構成された任意のデバイスであり得る。
【００２０】
静電容量感知モジュール150は、近接情報に対応する静電容量データを測定すること、および静電容量情報をベースバンドプロセッサ130に通信することができる任意のデバイスであり得る。静電容量感知モジュール150は、図1に示されるように構成された、第1の静電容量センサ(Cx1)170と、第2の静電容量センサ(Cx2)180と、静電容量デジタル変換器(CDC)160とを備え得る。Cx1 170およびCx2 180は、静電容量を測定することができる任意の構成要素であり得るとともに、ワイヤレスデバイス100上の様々な箇所に位置付けられ得る。ある実施形態において、Cx1 170およびCx2 180は、静電界を生成し、さらに電極間で電極の特定の構成に関する静電容量値を測定することを円滑にするように構成され得る。CDC160は、Cx1 170およびCx2 180から感知された静電容量を測定し、この測定された静電容量をデジタル信号に変換し、さらにこのデジタル信号を、データバス138を介してベースバンドプロセッサ130に転送するように構成された任意の構成要素であり得る。さらに、CDC160は、静電容量変化が割込み条件を満たすと、GPIO_N2 134またはGPIO_N3 136を介してベースバンドプロセッサ130に1つまたは複数の割込みを送るように構成され得る。ある実施形態において、割込み条件は、近接性変化を示すものであり得る、Cx1 170および/またはCx2 180から受け取られた静電容量測定結果の変動に対応し得る。他の実施形態において、割込み条件は、しきい静電容量値に対応し得る。いずれにしても、ベースバンドプロセッサ130は、割込みを受け取ると、更新された近接判定を行い、さらに(必要な場合)その判定に従ってRFトランシーバ120の出力電力を調整することが可能である。
【００２１】
図2は、アンテナステータス検出を実施するために使用され得る回路200の実施形態を示す。回路図200は、図2に示されるように構成された、アンテナ210と、アンテナ整合回路215と、RFトランシーバ220と、ネットワーク整合回路225と、アンテナ検出モジュール240とを備え得る。アンテナ210は、前述したアンテナ120と同様に構成され得るとともに、アンテナ整合回路215を介してアンテナ検出モジュール240に結合され得る。アンテナ整合回路215は、例えば、インピーダンス整合を介して、アンテナ検出モジュール240とアンテナ210との間で伝送される電気信号の転送効率を向上させるように構成された任意の構成要素または回路であり得る。RFトランシーバ220は、前述したRFトランシーバ120と同様に構成され得るとともに、ネットワーク整合回路225を介してアンテナ検出モジュール140に結合され得る。ネットワーク整合回路225は、例えば、インピーダンス整合を介して、アンテナ検出モジュール240とRFトランシーバ220の間で伝送される電気信号の転送効率を向上させるように構成された任意の構成要素または回路であり得る。ベースバンドプロセッサ230は、ベースバンドプロセッサ130と同様に構成され得るとともに、図2に示されるように構成されたポート231と、GPIO_N1 232と、接地239とを備え得る。ポート231およびGPIO_N1 232は、前述したポート131およびGPIO_N1 132と同様に構成可能であり、さらに接地239は、ベースバンドプロセッサ230において測定される電位の共通の基準点を表すことが可能である。
【００２２】
アンテナ検出モジュール240は、アンテナ210がRF放射を放出しているかどうかを判定するように構成された任意の構成要素であり得る。アンテナ検出モジュール240は、アンテナ検出モジュール140と同様に構成され得るとともに、図2に示されるように構成された、DC電圧源241と、抵抗器242と、複数のインダクタ244と、RFスイッチコネクタ245と、複数のキャパシタ246と、RFプラグ247と、接地249とを備え得る。DC電圧源241は、アンテナ検出回路240に安定した電力(例えば、一定のDC電圧)を供給するように構成された任意の構成要素またはポートであり得る。接地249は、アンテナ検出回路240において測定される電位の任意の共通の基準点であり得るとともに、接地239と共通の基準点を共有し得る。抵抗器242は、アンテナ検出回路240において電気抵抗をもたらすように構成された任意の構成要素であり得る。インダクタ244は、磁界にエネルギーを蓄えるように構成された任意の構成要素であり得るとともに、アンテナ検出モジュール240内のAC信号(例えば、RF AC信号)の流れを阻止する/妨げる役割をすることが可能である。例えば、インダクタ244は、RF AC信号がACパスを外れて移動するのを防止することによってDC回路を絶縁することが可能である。RFスイッチ245は、作動すると、アンテナ検出モジュール240内の電気回路を短絡させる、または開くように構成された任意のデバイスであり得る。ある実施形態において、RFスイッチ245は、作動すると(例えば、RFプラグ247によって)、RFスイッチコネクタ245がDC回路を開くように、通常、閉じていることが可能である。RFスイッチコネクタ245は、作動すると、ACパスとDC回路の両方を開く従来のスイッチであり得る。キャパシタ246は、電界にエネルギーを蓄えるのに使用される任意のデバイスであり得るとともに、アンテナ検出モジュール240内のDC信号の流れを阻止する/妨げる役割をすることが可能である。例えば、キャパシタ246は、DC信号がDC回路を外れて移動するのを防止することによってACパスを絶縁することが可能である。
【００２３】
RFプラグ247は、差し込まれると、DC回路を開くように、RFスイッチ245にはまる、かつ/またはRFスイッチ245を作動させるように構成された任意の構成要素であり得る。他の実施形態において、RFスイッチ245およびRFプラグ247は、存在しなくてもよいが、アンテナは、RFピンの他に接地ピンを有する。そのようなアンテナ、例えば、PIFAアンテナ、IFAアンテナ、およびループアンテナは、ワイヤレスデバイスにおいて一般的である。同様のアンテナ検出が、RFスイッチ245およびRFプラグ247なしに実施され得る。そのような実施形態において、インダクタ244は、取り除かれて、接地に至るDCパスが切断されることになる。キャパシタ246は、バイパスされ、または0Ω抵抗器で置き換えられることになり、さらに整合回路215が、アンテナのRFピンに(したがって、接地に)至るDCパスを許すように再設計されることになる。
【００２４】
さらに、GPIO_N1 232は、DC回路が開かれる場合、引き上げることが可能であり、DC回路が短絡する場合(すなわち、アンテナ210がRF放射を放出していない場合)、引き下げることが可能である。特に、キャパシタ246のDC抵抗(Rcap)は、インダクタ244の総合したDC抵抗(Rind)より相当に大きいことが可能である抵抗器242のDC抵抗(Rres)より相当に大きいことが可能であり、例えば、Rind≒0<Rres<Rcap≒∞である。このため、DC電圧源241によって供給される電圧は、DC回路が開かれると、主にキャパシタ246(抵抗器242ではなく)によって消失させられ、その結果、GPIO_N1 232が引き上げられる。同様に、DC電圧源241によって供給される電圧は、DC回路が短絡すると、主に抵抗器242(インダクタ244ではなく)において消失させられ、その結果、GPIO_N1 232が引き下げられる。このため、ベースバンドプロセッサ230は、アンテナ210が使用中から使用中でない状態に切り換わる際、またはアンテナ210が使用中でない状態から使用中に切り換わる際、GPIO_N1 232を介して割込み信号(例えば、高電圧信号)を受け取る。GPIO_N1 232を介して割込みを受け取ると、ベースバンドプロセッサ230は、GPIO_N1の電圧をポーリングし、さらにアンテナが使用中である(放射することができる)か否かを判定することが可能である。また、ベースバンドプロセッサ230は、GIPO_N1の電圧を定期的に調べることも可能である。図3は、前述した静電容量感知モジュール150と同様のタスクを実行することが可能な静電容量感知モジュール350の実施形態を示す。静電容量感知モジュール350は、前述したCDC160、Cx1 170、およびCx2 180と同様であり得るCDC360、Cx1 370、およびCx2 380を備え得る。ある実施形態において、CDC360は、参照によりともに全体が再現されているかのように本明細書に組み込まれている、「AD7150 On-Chip Noise Filter」という名称のAnalog Devices(AD)刊行物、AN-1048、および「AD7150 Capacitance Converter for Proximity Sensing」という名称のAD刊行物、PH07504-2-6/08(A)において説明されるAD7150またはAD7156などの、市販の構成要素であり得る。
【００２５】
CDC360は、図3に示されるように構成された、励起モジュール361と、マルチプレクサ(MUX)362と、静電容量センサに対する直接インターフェース(ΣΔ  CDC)363と、デジタルフィルタ364と、シリアルインターフェース365と、第1のしきい値モジュール366と、第2のしきい値モジュール367と、第1の比較器368と、第2の比較器369と、複数のポート391〜398とを備え得る。励起モジュール361は、近接検出の目的で静電界を生成することを円滑にするように構成された任意の構成要素であり得る。例えば、励起モジュール361が、ポート391および393経由でCx1 370およびCx2 380に、電圧波形を供給することが可能であり、これによりCx1 370およびCx2 380に静電界を生成させることが可能である。MUX362は、Cx1 370および/またはCx2 380からΣΔ  CDC363に静電容量データを転送するように構成された任意の構成要素であり得る。さらに、MUX362は、励起モジュール361によって供給された電圧波形を、ポート391および393経由でCx1 370およびCx2 380に転送することが可能である。ΣΔ  CDC363は、Cx1 370および/またはCx2 380によって供給された1つまたは複数のpFアナログ静電容量測定結果をデジタル信号(例えば、離散電圧信号)に変換し、さらにそのデジタル信号をデジタルフィルタ364に送るように構成された任意の構成要素であり得る。デジタルフィルタ364は、例えば、ノイズ低減などを介して、デジタル信号の信号特性を向上させることができる任意の構成要素であり得る。ある実施形態において、デジタルフィルタ364は、ΣΔ  CDC363から受け取られたデジタル信号をフィルタリングし、さらにその後、そのフィルタリングされたデジタル信号をシリアルインターフェース365に転送するように構成され得る。一部の実施形態において、デジタルフィルタ364は、そのフィルタリングされたデジタル信号(または個々の静電容量測定結果と関係するその信号のいくつかの部分)を、第1のしきい値モジュール366、第2のしきい値モジュール367、第1の比較器368、第2の比較器369、またはそれらの組合せに転送することも可能である。
【００２６】
シリアルインターフェース365は、パラレル通信信号をシリアル通信信号に変換するように構成された任意の構成要素であり得る。ある実施形態において、CDC360は、共通のクロック源で動作することが可能であり、このため、様々な構成要素361〜369は、同期で互いに通信することが可能である。しかし、ポート397〜398経由で通信されるデータは、同一のクロック源を共有しない構成要素またはモジュール(例えば、ベースバンドプロセッサ230)によって受け取られ得る。このため、シリアルインターフェース365は、ポート397〜398経由でデータデジタル信号をシリアルで送るように構成され得る。
【００２７】
しきい値モジュール366〜367は、しきい値信号またはベース信号を比較器368〜369に送るように構成された任意の構成要素であり得る。比較器368〜369は、割込み条件を検出すると、ポート395〜396経由で割込み信号を送るように構成された任意の構成要素であり得る。ある実施形態において、比較器368〜369は、しきい値モジュール366〜367から受け取られたしきい値信号を、デジタルフィルタ364から受け取られたデジタル信号と比較することによって割込み条件を検出することが可能である。例えば、しきい値信号は、デジタルフィルタ364からそれまでに受け取られているバッファリングされたデジタル信号に対応する可能性があり(例えば、しきい値モジュール367が、バッファであり得る)、さらに比較器は、しきい値信号とデジタル信号の差が割込みしきい値を超えると、割込みを送るように構成され得る。このため、この割込みは、Cx1 370および/またはCx2 380によって行われた静電容量測定結果の実質的な、または大きな変動を示し得る。いくつかの場合において、しきい値信号は、デジタル信号の平均または移動平均を表し得る。代替として、しきい値信号は、人間の身体が近接領域(例えば、領域1、領域2など)に入ったこと、または近接領域から出たことに対応してもよい。図3の説明は、特定のCDC(例えば、AD715x)と関係し得るものの、他のCDCモデル/デバイス(例えば、AD715x以外の)が、本開示の様々な新規の態様と併せて実施されてもよいことが当業者には理解されよう。
【００２８】
図4は、近接情報を感知するため、および近接情報をプロセッサ430に通信するための静電容量感知インターフェース400の実施形態を示す。静電容量感知インターフェース400は、電圧源401と、マイクロプロセッサ430と、CDC460と、Cx1 470と、Cx2 480とを備え得る。電圧源401は、マイクロプロセッサ430にDC電力を供給することができる任意の構成要素であり得る。例えば、電圧源は、約3.7ボルトのDC電圧(VDD)をマイクロプロセッサ430およびCDC460に供給し得る。ある実施形態において、マイクロプロセッサ430およびCDC460は、共通の接地(GND)およびDC電源を共有しても、異なるGNDまたは異なるDC電源を有してもよい。抵抗器402〜403は、静電容量感知インターフェース400内で電気抵抗をもたらすように構成された任意の回路素子または電気構成要素であり得る。マイクロプロセッサ430、CDC460、Cx1 470、およびCx2 480は、前述したベースバンドプロセッサ130、CDC160、Cx1 170、およびCx2 180と同様であり得る。マイクロプロセッサ430は、図4に示されるように複数のポート434〜438を備え得る。ポート434および436は、GPIO_N2 134およびGPIO_N3 136に対応することが可能であるとともに、CDC460から割込みを受け取るのに使用され得る一方で、ポート437および438は、I2Cバスポート138に対応することが可能であるとともに、CDC460からシリアル通信を受け取るのに使用され得る。
【００２９】
静電容量感知モジュール460は、マイクロプロセッサ430に近接情報および/または割込みを供給するように構成され得るとともに、CDC360の対応するポート391〜398と同様である複数のポート491〜498を備え得る。特に、ポート491、493は、Cx1 470およびCx2 480に、近接検出のために使用される静電界を生成することを円滑にする電圧波形を供給することが可能である一方で、ポート492、494は、静電界の変動に対応するCx1 470およびCx2 480からの静電容量を測定することが可能である。ポート495〜496は、ポート434、436を介してマイクロプロセッサ430に割込みを送るのに使用され得る。ポート495から送られる割込みは、Cx1 470に関連することが可能であり、さらにポート496から送られる割込みは、Cx2 480に関連することが可能である。ある実施形態において、これらの割込みは、Cx1 470および/またはCx2 480によって測定された静電容量が、しきい値を超えた(または超えることができなかった)場合、あるいはそれ以外で2つのしきい値(例えば、高いしきい値、および低いしきい値)によって規定される枠を外れる場合、ポート495上、および/またはポート496において送ることが可能である。一方、ポート497、498は、ポート437、438を介してマイクロプロセッサ430にデジタル信号を送るのに使用され得る。ある実施形態において、ポート497、498経由で通信されるデジタル信号は、Cx1 470およびCx2 480からの測定された静電容量に対応し得るとともに、マイクロプロセッサ430によって近接判定を行うのに使用され得る。
【００３０】
図5は、前述したCx1 170およびCx2 180と同様の機能を実行することが可能な静電容量センサ500の実施形態を示す。静電容量センサ500は、図5に示されるように構成された、第1の導体581と、第2の導体582と、誘電絶縁体583と、入力ポート591と、出力ポート592とを備え得る。第1の導体581、および第2の導体582は、任意の導電性の材料(例えば銅など)から成ることが可能である一方で、誘電絶縁体583は、任意の誘電材料(例えば、プラスチック、ガラス、マイカ、セラミックス、空気など)から成ることが可能である。ある実施形態において、静電容量センサ500は、参照により全体が再現されているかのように本明細書に組み込まれている、「Interdigital Capacitor Design」という名称のAgilent Electrical Engineering Software(EEsof) Electrical Design Automation刊行物において説明されるように、第1の導体581と第2の導体582が組み合った指と同様に形成されたインターディジタルキャパシタ(IDC)を備え得る。そこで説明されるように、静電容量センサ500のパフォーマンスは、フィンガ間の間隙(G)、フィンガの終端における間隙(GE)、フィンガの長さ(L)、フィンガの幅(W)、基板の誘電定数(εr)、導体581〜582の厚さ(t)、導体581〜582の抵抗率(ρ)、またはそれらの組合せを含め、様々なパラメータと関係し得る。入力ポート591は、励起信号を受け取るように構成可能であり(例えば、CDC内の励起モジュールから)、さらに出力ポート592は、静電容量データを(例えば、CDCに)通信するように構成可能である。
【００３１】
一部の実施形態において、1つまたは複数の静電容量センサは、PCB層内に、またはフレキシブルPCB内にエッチングされ得る。図6は、様々な構成でPCB層600内にエッチングされ得る複数の静電容量センサ610、620、および630を備えるPCB層600の実施形態を示す。さらに、または代替として、静電容量センサ610、620、および630のうちの1つまたは複数は、複数のPCB層間に存在する、さらに/または複数のPCB層間に広がることが可能である。フレキシブルPCBは、デバイスに巻き付けられ得る。
【００３２】
図7は、近接検出のために構成されたデータカードまたは他のワイヤレス対応のデバイスであり得るワイヤレスデバイス700を示す。ワイヤレスデバイス700は、図7に示されるように構成された、一次アンテナ710と、二次アンテナ715と、Cx1 752と、Cx2 754とを備え得る。一次アンテナ710および/または二次アンテナ720は、前述したアンテナ110と同様であり得るとともに、ワイヤレス接続を確立する目的でRF信号を放射し得る。Cx1 752およびCx2 754は、前述したCx1 170およびCx2 180と同様に構成され得るとともに、ワイヤレスデバイス700に対応する静電容量情報を検出するように構成され得る。Cx1 752およびCx2 754は、それなりに正確な、さらに/または有意義な近接検出を可能にするようにワイヤレスデバイス700上に戦略的に配置され得る。例えば、Cx1 752およびCx2 754の位置付けは、一次アンテナ710を備えるワイヤレスデバイス700の左側の面に関して比較的良好な近接検出をもたらしながら、それでも、二次アンテナ715を備えるワイヤレスデバイスの前面に関して十分な近接検出を許すことが可能である。
【００３３】
ある実施形態において、Cx1 752およびCx2 754は、研究所試験を介して収集されたベースラインデータに従って較正され得る。例えば、Cx1 752およびCx2 754の静電容量が、ベースライン静電容量読取り値を得るように自由空間に関して(すなわち、ワイヤレスデバイス700に近接して位置する人間の身体が存在しない場合に)測定され、さらに記録され得る。その後、Cx1 752およびCx2 754に関する静電容量読取り値が、知られている近接領域および/または知られている離隔距離、例えば、所与のトランシーバ出力電力がSAR遵守基準を満たす特定の距離(またはそのような距離の範囲)に関して測定され、さらに記録され得る。したがって、デバイスは、自由空間条件中に最大出力電力で動作することが可能であり、第1の近接領域内で第1の出力電力限度(例えば、最大出力電力限度の3/4)で動作することが可能であり、第2の近接領域内で第2の出力電力限度(例えば、最大出力電力限度の1/2)で動作することが可能であり、第3の近接領域内で第3の出力電力限度(例えば、最大出力電力限度の1/4)で動作することが可能であり、さらに第4の近接領域(例えば、最悪事態の近接領域)内で最小電力限度で動作することが可能である。したがって、第1の近接領域は、第1の出力電力限度が、事前定義された値を超えるRF暴露レベルをもたらさない離隔距離を備え得る。そのような実施形態において、静電容量測定結果は、SAR遵守基準を満たしながらワイヤレスパフォーマンスを最適化するようにRFトランシーバの出力電力限度をいつ低下させるべきか、またはいつ上昇させるべきかを判定するのに使用され得る。
【００３４】
図8は、人間の身体780に近接したワイヤレスデバイス750を示す。ワイヤレスデバイス750は、第1の面760に配置された一次アンテナ765と、第2の面770に配置された二次アンテナ775と、2つ以上の静電容量センサ756とを備え得る。ある実施形態において、一次アンテナ765、二次アンテナ775、および静電容量センサ756は、ワイヤレスデバイス700の一次アンテナ710、二次アンテナ715、および静電容量センサ752/754と同様に構成され得る。本明細書で説明されるように、静電容量センサ756は、適切な静電容量データ、例えば、第1の面760および/または第2の面770に対する人間の身体780の相対的近接性の判定を可能にする/円滑にするデータを収集することができるように、ワイヤレスデバイス上に戦略的に位置付けることが可能である。
【００３５】
図9は、第1の静電容量センサ(C1)および第2の静電容量センサ(C2)から収集されたデータに基づいて近接領域を判定するため、さらに/または分類するための静電容量平面830を示す。C1およびC2は、例えばワイヤレスデバイス700のCx1 752およびCx2 754によって示されるように、ワイヤレスデバイス上の分散された箇所に位置付けられ得る。静電容量平面830は、図9に示されるように、自由空間近接領域(R0)、第1の近接領域(R1)、第2の近接領域(R2)、第3の近接領域(R3)、および第4の近接領域(R4)を含む、様々な近接領域を備え得る。ある実施形態において、近接領域R0〜R4のそれぞれは、異なる出力電力(例えば、近接領域内の各離隔距離に関してSAR遵守基準を満たす最高の出力電力レベル)に関連付けることが可能である。例えば、R0は、最大(MAX)出力電力限度(例えばRFトランシーバに関する最高の出力電力限度)に関連付けることが可能であり、R1は、第1の低減された出力電力限度(L1)に関連付けることが可能であり、R2は、第2の低減された出力電力限度(L2)に関連付けることが可能であり、R3は、第3の低減された出力電力限度(L3)に関連付けることが可能であり、さらにR4は、最小出力電力限度(MIN)に関連付けることが可能であり、ただし、MAX>L1>L2>L3>MINである。概して言えば、MAXは、R0に関してSAR遵守基準を満たすことが可能であり(ただし、R1〜R4に関してはそうではなく)、L1は、R0およびR1に関してSAR遵守基準を満たすことが可能であり(ただし、R2〜R4に関してはそうではなく)、L2は、R0〜R2に関してSAR遵守基準を満たすことが可能であり(ただし、R3およびR4に関してはそうではなく)、L3は、R0〜R3に関してSAR遵守基準を満たすことが可能であり(ただし、R4に関してはそうではなく)、さらにMINは、R0〜R4のいずれに関してもSAR遵守基準を満たすことが可能である。図9に示されるように、近接領域R0〜R4は、C1およびC2から導き出された静電容量測定結果(C1X, C2X)によって定義され得る。特に、R0は、C1A<C1X<C1BおよびC2A<C2X<C2Bによって定義され得、このことは、本明細書でR0=(C1X∈(C1A, C1B), C2X∈(C2A, C2B)と表され得る。その他の領域は、以下のように定義され得る。すなわち、R1=(C1X∈(C1B, C1C), C2X∈(C2C, C2E)、R2=(C1X∈(C1C, C1D), C2X∈(C2B, C2D)、R3=(C1X∈(C1D, C1F), C2X∈(C2F, C2G)、R4=(C1X∈(C1E, C1G), C2X∈(C2C, C2F)である。2つより多くの静電容量センサが使用可能であり、さらにその結果、近接領域は、より高い次元の空間内のブロック(例えば、3D空間内の直方体)によって定義され得る。以降、2つの静電容量センサ構成が、例として使用される。
【００３６】
一部の実施形態において、複数の静電容量センサが、近接検出を円滑にするようにワイヤレスデバイス上の分散された箇所に位置付けられ得る。例えば、C1E<C1X<C1Fである場合にR3とR4を区別するのに、C2からの静電容量測定結果が必要であり得る。同様に、C2C<C2X<C2Dである場合にR1とR2を区別するのに、C1からの静電容量測定結果が必要であり得る。このため、複数の静電容量センサが、より効果的な近接検出を可能にし得る。
【００３７】
SAR遵守試験が、ワイヤレスデバイスの面から指定された離隔距離(例えば、5mm)にファントム(すなわち、シミュレートされた人間)を位置付け、さらにその後、このファントムによって吸収されたRF放射の量を検出する/概算することによって、RF吸収率を測定することが可能である。一部のワイヤレスデバイス分類の場合、SAR遵守は、ワイヤレスデバイスの複数の面(例えば、5つの面)、および/または様々な向き/構成(例えば、ラップトップの様々なスロットに入ったUSBドングル、テーブル上のワイヤレスデバイスなど)を試験することを要する可能性がある。したがって、SAR遵守を満足させる1つの戦略は、近接領域をデバイスの様々な面と互いに関係付けることであり得る。図10は、第3の静電容量センサ(C3)、および第4の静電容量センサ(C4)から収集されたデータに基づいて、ワイヤレスデバイスの、ある特定の面に人間またはファントムが近接している場合にそのことを判定するための静電容量平面860を示す。静電容量平面860は、静電容量平面860がワイヤレスデバイス700の複数の面に対応する複数の近接領域を備え得ること以外は、静電容量平面830と同様であり得る。静電容量平面860は、ワイヤレスデバイス700の最底面に対応する第1の近接領域(F1)と、ワイヤレスデバイス700の最上面に対応する第2の近接領域(F2)と、ワイヤレスデバイス700の最前面に対応する第3の近接領域(F3)と、ワイヤレスデバイス700の最後面に対応する第4の近接領域(F4)と、ワイヤレスデバイス700の左側面に対応する第5の近接領域(F5)と、ワイヤレスデバイス700の右側面に対応する第6の近接領域(F6)とを備え得る。特に、F1は、ワイヤレスデバイスが様々な向きで置かれながら(例えば、回転される、机の上に置かれるなど)、最底面から固定の距離(例えば、5mm)に配置されたファントムに関する静電容量測定結果に対応することが可能である。同様に、F2〜F6は、ファントムがそれらのそれぞれの面の近くに位置付けられ、ワイヤレスデバイスが様々な向きで配置される場合に、行われる同様の静電容量測定結果に対応することが可能である。一部の実施形態において、静電容量測定結果は、ワイヤレスデバイスの向きが変化するとともに、関係のある面からのファントムの離隔距
離が固定のままであるときに、所与の領域(F1〜F6のうちの1つ)内で変動し得る。他の実施形態において、静電容量測定結果は、ワイヤレスデバイスの向きが固定のままであるとともに、関係のある面からのファントムの離隔距離が変化するときに、領域内で変動し得る。例えば、離隔距離は、指定された開始距離(例えば、5mm)から、電力低減の次のレベルがSAR遵守基準を満たすまで、またはSAR遵守基準を満たすのに電力低減が全く要求されなくなるまで、漸進的に増加することが可能である。さらに他の実施形態において、静電容量測定結果は、ワイヤレスデバイスの向きと、関係のある面からのファントムの距離がともに変化するときに、領域内で変動し得る。例えば、様々な向きに関して(後段で説明されるように)研究所試験が実行可能であり、さらに領域が、得られた静電容量データの標準偏差または最大値/最小値に応じて定義され得る。
【００３８】
したがって、C3およびC4による静電容量値測定結果は、(もしあるとすれば)いずれの面に人間/ファントムが近接して位置しているかを判定するのに使用され得る。このことは、特に、アンテナが1つの面または別の面により近く位置付けられている場合、SAR遵守基準を満たす目的でしきい値が効率的に設定されることを可能にし得る。例えば、一次アンテナ710は、ワイヤレスデバイス700の左側面上に位置付けられており、さらにそれゆえ、RF吸収率は、右側面に近接して位置している人間の場合より、左側面に近接して位置している人間の場合の方がより高いことが可能である。このため、左側面に関連付けられた出力電力限度は、右側面に関連付けられた出力電力限度より低いことが可能である。一部の実施形態において、一次アンテナ710および/または二次アンテナ720に送られる出力電力はともに、SAR遵守基準を満足させながら、ワイヤレスパフォーマンスを最大化するように操作され得る。例えば、一次アンテナに近接して人間が位置していると判定された場合、スループットが二次アンテナに移されてもよい(さらに、二次アンテナに近接して人間が位置していると判定された場合、スループットが一次アンテナに移されてもよい)。
【００３９】
一部の実施形態において、静電容量センサのうちの1つまたは複数の初期配置が、最適でない可能性がある。図11は、ワイヤレスデバイス上の理想的でない箇所および/または最適未満の箇所に位置付けられていることが可能な第5の静電容量センサ(C5)および第6の静電容量センサ(C6)から収集された近接データを表す静電容量平面890を示す。静電容量平面890は、ワイヤレスデバイスの4つの面それぞれに対応するF1'〜F4'、および自由空間近接領域に対応するR0'を含む、複数の近接領域を備え得る。F1'〜F4'は、それらのそれぞれの面に近接して位置付けられたファントムに関する静電容量測定結果を備え得るという点で、F1〜F4と同様であり得る。図11に示されるように、R0'、F1'、およびF2'は、R0'={(C5X∈(C5A, C5B), C6X∈(C6A, C6B)}、F1'={(C5X∈(C5B, C5C), C6X∈(C6C, C6E)}、およびF2'={(C5X∈(C5C, C5D), C6X∈(C6B, C6D)}と定義され得る。しかし、F3'の位置とF4'の位置は重なり合って、FX={C5X∈(C5E, C5F), C6X∈(C6E, C6F)}である場合に、いずれの近接領域が当てはまるかを判定することを困難(または不可能)にする可能性がある。そのような事例において、近接領域F3'とF4'がもはや重なり合わないように、静電容量センサC5およびC6を再配置すること、または代替として、さらなる静電容量センサ(例えば、第3のセンサ)を追加することが必要である、または望ましい可能性があり、さらなる静電容量センサが追加される場合、3軸の近接空間が定義され得る。
【００４０】
ある実施形態において、通常の使用領域(RNU)が、静電容量平面890内に定義され得る。RNUは、ワイヤレスデバイスが通常の動作構成で配置された場合に測定される静電容量値に対応する、またはそのような静電容量値によって定義され得る。例えば、ワイヤレスルータに関するRNUが、ワイヤレスルータが木製の机の上に置かれている間に測定される静電容量値によって定義され得る一方で、1次元(1D)の回転を有するデータカードに関するRNUが、データカードが液晶ディスプレイ(LCD)近くの位置に対して回転する間に測定される静電容量値によって定義され得る。理想的には、RNUは、電力低減を要求する近接領域(例えば、F1'〜F4')のいずれとも重なり合わないが、概して自由空間に関して電力低減は要求されない可能性があるため、RNUがR0'と重なり合うかどうかは、それほど重要でない可能性がある。F1'〜F4'のうちの1つまたは複数とRNUの相当な重なり合いが存在する場合、既存の静電容量センサの再配置(または別の静電容量センサの追加)が、通常の使用中にワイヤレスパフォーマンスを低下させることを回避するのに必要とされ得る。RNU内、R0内、またはF1'〜F4'内で定義されない静電容量値は、RRとして分類され得る。一部の実施形態において、1つまたは複数の領域に関する上の静電容量値および下の静電容量値、ならびに対応する出力電力限度(例えば、L1、L2、L3など)が、ワイヤレスデバイス、または本明細書で説明されるその他のデバイスのいずれかの静的メモリセクションの中に格納され得る。
【００４１】
面/近接領域ごとに静電容量値を定義するとともに、面/近接領域ごとに適切な出力電力限度を決定する研究所試験または開発試験が実行され得る。一部の実施形態において、この研究所試験または開発試験は、SAR試験構成(例えば、FCCによって概説されるように)に追随し得る。図12は、ワイヤレスデバイスの面に関連付けるべき適切な出力電力限度を決定するための方法900の実施形態の流れ図を示す。ある実施形態において、方法900は、様々な構成に関して繰り返すことが可能であり、さらに得られたデータは、静電容量値、出力電力限度、または割込みしきい値を得るように統計的に操作可能である。
【００４２】
方法900は、ブロック910で始まることが可能であり、ファントムが、ワイヤレスデバイスの面から可能な最も近い離隔距離に位置付けられ得る。例えば、ファントムは、ワイヤレスデバイスの面に接触している(またはほとんど接触している)ことが可能である。その後、方法900は、ブロック920に進むことが可能であり、そこで第1の複数の静電容量(CX1, CY1)が、領域/面に関する下限静電容量しきい値を決定するように測定され得る。次に、方法900は、ブロック930に進むことが可能であり、そこで離隔距離が指定された(例えば、FCCによって指定されるように)離隔距離まで増大され得るとともに、ワイヤレスデバイスの出力電力が最大レベルに設定され得る。次に、方法900は、ブロック940に進むことが可能であり、そこでベースラインSAR測定(S0)が行われ得る。次に、方法900は、ブロック945に進むことが可能であり、そこで方法900は、S0が、FCCによって指定される(例えば、セル電話機に関して1.6W/kgなどの)最大RF暴露限度(SARMAX)以下、または規制要件および顧客要件に基づく値以下であるかどうかを判定することが可能である。S0がSARMAX以下である場合、方法900は、ブロック950で、この近接領域に関して電力低減は全く要求されないと判定し、さらにその後、終了することが可能である。S0がSARMAX以下ではない場合(すなわち、S0>SARMAXである場合)、方法900は、ブロック960に進むことが可能であり、そこでワイヤレスデバイスの出力電力が低減され得、さらにS0が再測定され得る。
【００４３】
方法900は、ブロック960の後、ブロック965に進むことが可能であり、そこで方法900は、S0がSARMAX以下であるかどうかを再び判定することが可能である。S0がSARMAX以下ではない(すなわち、S0>SARMAXである場合)、方法900は、ブロック965でS0がSARMAX以下であると判定されるまで、ブロック960とブロック965との間でループすることが可能である。ブロック965で(例えば、1回、または複数回の反復の後)S0がSARMAX以下であると判定した後、方法900は、ブロック970に進むことが可能であり、そこで現在の出力電力限度は、近接領域に関連付けることが可能であり(例えば、R1がL1に関連付けられる)、さらにワイヤレスデバイスの出力電力は、最大レベルにリセットすることが可能である。その後、方法900は、ブロック980で、離隔距離を増大させ、さらに後続のSARMAX測定(S1)を行うことが可能である。次に、方法900は、ブロック985で、S1がSARMAX以下であるかどうかを判定することが可能である。S1がSARMAX以下ではない場合(すなわち、S1>SARMAXである場合)、方法900は、ブロック985でS1がSARMAX以下になるまで、ブロック980とブロック985との間でループすることが可能である。1回または複数回の反復の後、方法900は、ブロック985でS1がSARMAX以下であると判定し、さらに次に、ブロック990で第2の複数の静電容量(CX2, CY2)を測定することが可能である。その後、方法900は、終了することが可能である。
【００４４】
方法900によって収集されたデータに従って、ワイヤレスデバイスの面に対応する近接領域(Fn)が、Fn={CX∈(CX1, CX2), CY∈(CY1, CY2)}と定義され得る。ある実施形態において、方法900は、複数のデバイス構成に関して繰り返すことが可能であり、さらにFnは、得られたデータに従って定義され得る。例えば、Fnは、得られた最高の静電容量値と最低の静電容量値によって、または得られた静電容量値の標準偏差によって定義され得る。
【００４５】
図13は、SAR遵守基準を満たすようにトランシーバ電力限度を調整するための方法1000の実施形態を示す。ある実施形態において、方法1000は、静電容量感知モジュール(例えば、CDC160)、アンテナ検出モジュール(例えば、アンテナ検出モジュール140)、RFトランシーバ(例えば、RFトランシーバ120)、またはそれらの組合せによって供給される情報(例えば、デジタル信号、割込みなど)に基づいて、マイクロプロセッサ(例えば、ベースバンドプロセッサ130)によって実行され得る。方法1000は、ブロック1010で始まることが可能であり、そこでタイマが開始され得る。ある実施形態において、このタイマは、近接判定に挟まれた(すなわち、割込みのない)最大期間を判定することが可能である。次に、方法は、ブロック1020に進むことが可能であり、そこでプロセッサが、アンテナ検出モジュール/回路から受け取られる情報に基づいて、アンテナがRF信号を送信しているかどうかを判定することが可能である。アンテナがRF信号を送信していない場合、プロセッサは、RF放射が放出されていないと判定することが可能である。その後、方法1000は、ブロック1030に進むことが可能であり、そこでプロセッサが、RFトランシーバの出力電力限度を調整することは必要ないと判定することが可能である。ブロック1020で、アンテナがRF信号を送信していると判定された場合、プロセッサは、RF放射が放出されていると判定することが可能である。その後、方法は、ブロック1040に進むことが可能であり、プロセッサは、近接検出を行うことが可能である。ある実施形態において、近接検出は、アンテナに対する人間の身体の相対的近接性に対応する静電容量データを備える、静電容量感知モジュールから受け取られたデジタル信号に基づくことが可能である。
【００４６】
次に、方法1000は、ブロック1050に進むことが可能であり、そこでプロセッサが、人間の身体がアンテナに近接しているか否かを判定することが可能である。人間の身体がアンテナに近接していない場合、プロセッサは、アンテナのRF送信が、現在の/最大の電力限度でSAR遵守基準を満たすと判定することが可能である。その後、方法は、ブロック1055に進むことが可能であり、そこでプロセッサが、RF信号特性を向上させるよう、例えば、歪みを低減する、ノイズを低減するよう、RFトランシーバおよび/またはアンテナに対して周波数補償を実行することが可能である。ブロック1050で、人間の身体がアンテナに近接していると判定された場合、方法1000は、ブロック1060に進むことが可能であり、そこで近接判定が実行され得る。ある実施形態において、近接判定は、アンテナに対する人間の身体の相対的近接性を判定するように静電容量データをさらに解析することが可能である。例えば、近接判定は、距離を概算する、または近接領域を識別することが可能である。その後、方法1000は、ブロック1070に進むことが可能であり、そこでプロセッサが、SAR遵守を満足させるように、さらに/またはワイヤレスパフォーマンス特性を最大化するようにRFトランシーバの電力を調整する適切な量を決定することが可能である。その後、方法は、ブロック1080に進むことが可能であり、プロセッサが、ブロック1070で行われた決定に基づいて、RFトランシーバの出力電力を調整することが可能である。
【００４７】
次に、方法は、ブロック1030、1055、または1080のいずれかのブロックの後にブロック1090に進むことが可能であり、そこでプロセッサは、タイマが満了しているどうかを判定することが可能である。タイマが満了している場合、方法1000は、ブロック1010に戻ることが可能であり、そこで前述したステップ1010〜1080を繰り返すことが可能である。タイマが満了していない場合、方法は、ブロック1095に進むことが可能であり、そこでプロセッサが、アンテナ検出モジュールまたは静電容量感知モジュールから割込みが受け取られているかどうかを調べることが可能である。ある実施形態において、アンテナ検出モジュールからの割込みは、アンテナのステータスが変化した場合、例えば、アンテナがRF送信を終えた場合、受け取られ得る。同一の実施形態、または他の実施形態において、静電容量感知モジュールからの割込みは、静電容量センサが大きく変動すると、または人間が近接領域を励起させる/近接領域に入ると、受け取られ得る。ブロック1095で、割込みが受け取られていると判定された場合、方法1000は、ブロック1010に戻ることが可能であり、そこで前述したステップ1010〜1080を繰り返すことが可能である。割込みが受け取られていないと判定された場合、方法1000は、ブロック1090に戻ることが可能であり、そこでブロック1090とブロック1095との間のループが、タイマが満了するまで、または割込みが受け取られるまで、続くことが可能である。
【００４８】
図14は、SAR遵守基準を満たすようにトランシーバ電力限度を調整するための方法1100の別の実施形態を示す。ある実施形態において、方法1100は、静電容量感知モジュール(例えば、CDC160)、アンテナ検出モジュール(例えば、アンテナ検出モジュール140)、RFトランシーバ(例えば、RFトランシーバ120)、またはそれらの組合せによって供給される情報(例えば、デジタル信号、割込みなど)に基づいて、マイクロプロセッサ(例えば、ベースバンドプロセッサ130)によって実行され得る。方法1100は、図14に示されるブロック1110〜1190を備え得る。ある実施形態において、ブロック1110〜1130、1155、および1190〜1195は、方法1000のブロック1010〜1030、1055、および1090〜1095と実質的に同様であり得る。特に、方法1100は、ブロック1110でタイマを開始することが可能であり、さらにブロック1120でアンテナが送信しているかどうかを判定することが可能である。アンテナが送信していない場合、方法1100は、ブロック1130で、電力調整が全く必要とされないと判定することが可能である。アンテナが送信している場合、方法1100は、ブロック1140に進むことが可能であり、そこでプロセッサが、2つ以上の静電容量センサによって測定された静電容量データ(例えば、C1X、C2X)に基づいて、近接領域を識別することが可能である。ある実施形態において、静電容量データは、CDCからのデジタル信号を介して通信され得る。その後、方法は、ブロック1150に進み、そこでプロセッサが、現在のRFトランシーバの出力電力限度が、識別された近接領域に対応する(例えば、R0=MAXである、R1=L1であるなど)かどうかを判定する。対応する場合、方法1100は、ブロック1155に進むことが可能であり、そこでプロセッサが周波数補償を(オプションとして)実行することが可能である。トランシーバの出力電力限度が、識別された近接領域に対応しない場合、方法1100は、ブロック1180に進み、そこでプロセッサが、識別された近接領域に基づいて、トランシーバの出力電力限度を適切なレベルに調整することが可能である。ブロック1130、1155、または1180の後に続いて、方法1100は、ブロック1190および1195に進み、そこでプロセッサが、タイマが満了しているかどうか、または割込みが受け取られているかどうかを判定することが可能である。
【００４９】
図15は、ワイヤレスデバイスにおいて近接検出を行うためのシステム1200の実施形態の概略図を示す。システム1200は、図15に示されるように構成された、近接検出エンジン1230と、出力電力決定エンジン1235と、複数のハードウェアステータスモジュール1236と、システム情報モジュール1239と、電力制限エンジン1245と、CDC1260と、複数の静電容量センサ1270〜1280とを備え得る。近接検出エンジン1230は、本明細書で説明される概念のうちの1つまたは複数を使用してワイヤレスデバイスに対する人間の身体の近接性を判定するように構成された任意のハードウェア構成要素、ソフトウェア実施形態、またはハードウェア構成要素とソフトウェア実施形態の組合せであり得る。出力電力決定エンジン1235は、本明細書で説明される概念のうちの1つまたは複数に基づいて出力電力決定を行うように構成された任意のハードウェア構成要素、ソフトウェア実施形態、またはハードウェア構成要素とソフトウェア実施形態の組合せであり得る。ハードウェアステータスモジュール1236は、出力電力決定エンジン1235による出力電力決定を支援する、または円滑にするように構成された任意のハードウェア構成要素であり得るとともに、少なくとも、第1のハードウェアステータスモジュール(HS-1)1236、…および第m番目のハードウェアステータスモジュール(HS-m)1236(ただし、mは、1より大きい整数である)を含み得る。システム情報モジュール1239は、出力電力決定中に使用されるように出力電力決定エンジン1235にシステム情報を供給するように構成された任意のハードウェア構成要素であり得る。CDC1260は、静電容量データをデジタル信号に変換するように構成された任意のデバイスであることが可能であり、さらに前述したCDC160と同様に構成可能である。静電容量センサ1270〜1280は、Cx1 170およびCx2 180と同様に構成され得るCx1 1270、および第n番目の静電容量センサCx(n) 1280(ただし、nは、1より大きい整数である)を少なくとも含み得る。
【００５０】
図16は、ネットワークを介してデータをトランスポートするためのネットワークユニット1600の実施形態の概略図を示す。ネットワークユニット1600は、ネットワークを介してデータをトランスポートし、さらに処理する任意のデバイスであり得る。ネットワークユニット1600は、他のネットワーク構成要素から信号およびフレーム/データを受け取るために受信機(Rx)1612に結合された1つまたは複数の入口ポートまたは入口ユニット1610を備え得る。ネットワークユニット1600は、いずれのネットワーク構成要素にデータを送信すべきかを判定する論理ユニット1620を備え得る。論理ユニット1620は、ハードウェア、ソフトウェア、またはハードウェアとソフトウェアの両方を使用して実施され得る。また、ネットワークユニット1600は、その他のネットワーク構成要素に信号およびフレーム/データを送信するために送信機(Tx)1632に結合された1つまたは複数の出口ポートまたは出口ユニット1630を備えることも可能である。また、受信機1612、論理ユニット1620、および送信機1632は、前述した方法のいずれを実施する、またはサポートすることも可能である。
【００５１】
前述したネットワーク構成要素は、そこに課される必要な作業負荷を扱うのに十分な処理能力、メモリリソース、およびネットワークスループット能力を有するコンピュータ構成要素またはネットワーク構成要素などの任意の汎用ネットワーク構成要素において実施され得る。図17は、汎用ネットワーク構成要素1700の実施形態の概略図を示す。特に、汎用ネットワーク構成要素1700は、本明細書で開示される構成要素の1つまたは複数の実施形態を実施するのに適していることが可能である。ネットワーク構成要素1700は、二次ストレージ1704、読取り専用メモリ(ROM)1706、ランダムアクセスメモリ(RAM)1708を含むメモリデバイス、入出力(I/O)デバイス1710、およびネットワーク接続デバイス1712と連通しているプロセッサ1702(中央処理装置、またはCPUと呼ばれ得る)を含む。プロセッサ1702は、1つまたは複数のCPUチップとして実施可能であり、または1つまたは複数の特定用途向け集積回路(ASIC)の一部であることが可能である。
【００５２】
二次ストーレッジ1704は、典型的には、1つまたは複数のディスクドライブもしくはテープドライブから成り、データの不揮発性ストレージとして使用されるとともに、RAM1708がすべての作業データを保持するだけ十分に大きくない場合、オーバーフローデータストレージデバイスとして使用される。二次ストレージ1704は、RAM1708内にロードされるプログラムを、そのようなプログラムが選択されて実行されるとき、格納するために使用され得る。ROM1706は、命令、および、場合により、プログラム実行中に読み取られるデータを格納するのに使用される。ROM1706は典型的には、二次ストレージ1704のより大きいメモリ容量と比べて、小さいメモリ容量を有する不揮発性メモリデバイスである。RAM1708は、揮発性データを格納するのに使用され、場合により、命令を格納するのに使用される。ROM1706およびRAM1708へのアクセスはともに、二次ストレージ1704へのアクセスと比べて、典型的には、より高速である。
【００５３】
少なくとも1つの実施形態が開示され、当業者によってなされるその(それらの)実施形態および/またはその(それらの)実施形態の特徴の変更形態、組合せ形態、および/または修正形態が、本開示の範囲に含まれる。その(それらの)実施形態の特徴を組み合わせること、統合すること、および/または省略することからもたらされる代替の実施形態もまた、本開示の範囲に含まれる。数値の範囲または限定が明示的に述べられる場合、そのような明示的な範囲または限定は、明示的に述べられる範囲または限定の範囲内に含まれる同様の大きさの繰り返しの範囲または限定を含むものと理解され得る(例えば、約1から約10までは、2、3、4などを含み、0.10より大きいことは、0.11、0.12、0.13などを含む)。例えば、下限Rlと上限Ruを有する数値の範囲が開示される場合はいつでも、その範囲に含まれる任意の数値が具体的に開示される。特に、その範囲内の以下の数値が具体的に開示される。すなわち、R=Rl+k*(Ru-Rl)、ただし、kは、1パーセントのインクリメントで1パーセントから100パーセントまでに及ぶ変数であり、すなわち、kは、1パーセント、2パーセント、3パーセント、4パーセント、5パーセント、…、50パーセント、51パーセント、52パーセント、…、95パーセント、96パーセント、97パーセント、98パーセント、99パーセントまたは100パーセントである。さらに、前述のように定義された2つのRの数値によって定義される任意の数値範囲もまた、具体的に開示される。請求項の任意の要素に関する「オプションとして」という用語の使用は、その要素が必須であること、または代替として、その要素が必須でないことを意味し、両方の選択肢がその請求項の範囲に含まれる。「備える」、「含む」、および「有している」などの、より広い言葉の使用は、「〜から成る」、「基本的に〜から成る」、および「実質的に〜から成る」などの、より狭い言葉を支持するものと理解され得る。したがって、保護の範囲は、前述の説明によって限定されず、添付の特許請求の範囲によって規定され、その範囲は、特許請求の範囲の主題のすべての等価物を含む。それぞれの、およびすべての請求項は、さらなる開示として本明細書に組み込まれるとともに、それらの請求項は、本開示の実施形態(複数可)である。本
開示における参考文献の説明、特に、本出願の優先日より後の公開日を有するいずれの参考文献の説明も、その参考文献が従来技術であることを認めるものではない。本開示で引用されるすべての特許、特許出願、および刊行物の開示は、それらの特許、特許出願、および刊行物が、本開示を補足する例示的な詳細、手続き上の詳細、またはその他の詳細をもたらす限りで、参照により本明細書に組み込まれている。
【００５４】
いくつかの実施形態が本開示において与えられているが、開示されるシステムおよび方法は、本開示の趣旨または範囲を逸脱することなく、他の多くの特定の形態で実施されることも可能であるものと理解され得る。本発明の例は、例示的であり、限定的ではないものと考えられるべきであり、意図は、本明細書で与えられる詳細に限定されない。例えば、様々な要素または構成要素は、組み合わされること、または別のシステムに組み込まれることが可能であり、あるいはいくつかの特徴が、省略されること、または実施されないことが可能である。
【００５５】
さらに、様々な実施形態において別々のものとして、または分離したものとして説明され、例示される技術、システム、サブシステム、および方法は、本開示の範囲を逸脱することなく、他のシステム、モジュール、技術、または方法と組み合わせること、または一体化することが可能である。結合されている、または直接に結合されている、または互いに通信するものとして示される、あるいは説明される他のアイテムが、電気的にであれ、機械的にであれ、またはその他の様態であれ、何らかのインターフェース、デバイス、または中間構成要素を介して間接的に結合される、または間接的に通信することも可能である。変更形態、置換形態、および改変形態の他の例が、当業者によって確かめることが可能であるとともに、本明細書で開示される趣旨および範囲を逸脱することなく行われ得る。
【符号の説明】
【００５６】
110  アンテナ
120  RFトランシーバ
130  ベースバンドプロセッサ
131  ポート
132  ポート
134  ポート
136  ポート
138  ポート
140  アンテナ検出モジュール
150  静電容量感知モジュール
160  静電容量デジタル変換器
170  静電容量センサ
180  静電容量センサ
【図１】
0005787381.tif 000003
【図２】
0005787381.tif 000004
【図３】
0005787381.tif 000005
【図４】
0005787381.tif 000006
【図５】
0005787381.tif 000007
【図６】
0005787381.tif 000008
【図７】
0005787381.tif 000009
【図８】
0005787381.tif 000010
【図９】
0005787381.tif 000011
【図１０】
0005787381.tif 000012
【図１１】
0005787381.tif 000013
【図１２】
0005787381.tif 000014
【図１３】
0005787381.tif 000015
【図１４】
0005787381.tif 000016
【図１５】
0005787381.tif 000017
【図１６】
0005787381.tif 000018
【図１７】
0005787381.tif 000019